(57)【要約】【課題】専用装置を用いることなく簡便に仕分けできる仕組みを提案する。【解決手段】基材表面を被覆するフィルム状シートに付加情報を記録する際に、（ａ）印刷受付時に発生される受付イベントに関連付けられた仕分け情報を記憶部から読み出す処理と、（ｂ）フィルム状シートの表面に印加するエネルギーを、仕分け情報の記録領域とその他の領域とで可変し、仕分け情報をフィルム状シートの表面に透かし状に記録する処理とを実行する付加情報記録装置を提案する。【選択図】図３
2006137004.tif 000002
【特許請求の範囲】
【請求項１】
基材表面を被覆するフィルム状シートに付加情報を記録する付加情報記録装置であって、
印刷受付時に発生される受付イベントに関連付けられた仕分け情報を保持する記憶部と、
前記フィルム状シートの表面に印加するエネルギーを、仕分け情報の記録領域とその他の領域とで可変し、前記仕分け情報を前記フィルム状シートの表面に透かし状に記録する印加エネルギー制御部と
を有することを特徴とする付加情報記録装置。
【請求項２】
請求項１に記載の付加情報記録装置において、
前記仕分け情報は、個々の受付イベントに固有の記号又は記述である
ことを特徴とする付加情報記録装置。
【請求項３】
請求項２に記載の付加情報記録装置において、
前記仕分け情報は、個々の受付イベントに固有の受付番号である
ことを特徴とする付加情報記録装置。
【請求項４】
請求項２に記載の付加情報記録装置において、
前記仕分け情報は、個々の受付イベントで指定されたユーザー固有の識別情報である
ことを特徴とする付加情報記録装置。
【請求項５】
請求項２に記載の付加情報記録装置において、
前記仕分け情報は、受付イベントを受け付けた受付装置に固有の識別情報である
ことを特徴とする付加情報記録装置。
【請求項６】
請求項２に記載の付加情報記録装置において、
前記仕分け情報は、個々の受付イベントが発生した日時情報である
ことを特徴とする付加情報記録装置。
【請求項７】
請求項２に記載の付加情報記録装置において、
前記仕分け情報は、個々の受付イベントで受け付けた総印刷枚数である
ことを特徴とする付加情報記録装置。
【請求項８】
請求項２に記載の付加情報記録装置において、
前記仕分け情報は、受付イベントで指定された個々の画像情報に対するコピー枚数である
ことを特徴とする付加情報記録装置。
【請求項９】
請求項２に記載の付加情報記録装置において、
前記仕分け情報は、個々の画像情報に対するマルチサイズ印刷の有無を示す情報である
ことを特徴とする付加情報記録装置。
【請求項１０】
請求項２に記載の付加情報記録装置において、
前記仕分け情報は、マルチサイズ印刷の対象に指定された個々の画像情報について、現在の処理サイズとは別の処理サイズを示す情報である
ことを特徴とする付加情報記録装置。
【請求項１１】
請求項２に記載の付加情報記録装置において、
前記仕分け情報は、データライブラリー上の仕分け単位に関する情報である
ことを特徴とする付加情報記録装置。
【請求項１２】
請求項１に記載の付加情報記録装置において、
前記仕分け情報は、個々の受付イベントに固有の記録領域が割り当てられる
ことを特徴とする付加情報記録装置。
【請求項１３】
基材表面又はその表面を被覆するフィルム状シートに画像情報を記録すると共に、前記フィルム状シートの表面に付加情報を記録する印刷装置であって、
印刷受付時に発生される受付イベントに関連付けられた仕分け情報を保持する記憶部と、
前記フィルム状シートの表面に印加するエネルギーを、仕分け情報の記録領域とその他の領域とで可変し、前記仕分け情報を前記フィルム状シートの表面に透かし状に記録する印加エネルギー制御部と
を有することを特徴とする印刷装置。
【請求項１４】
１つ又は複数の印刷装置を有する印刷システムであって、
前記印刷装置の少なくとも１つは、
印刷受付時に発生される受付イベントに関連付けられた仕分け情報を保持する記憶部と、
前記フィルム状シートの表面に印加するエネルギーを、仕分け情報の記録領域とその他の領域とで可変し、前記仕分け情報を前記フィルム状シートの表面に透かし状に記録する印加エネルギー制御部と
を有することを特徴とする印刷システム。
【請求項１５】
１つ又は複数の印刷装置と、画像情報の記録された基材表面を被覆するフィルム状シートに付加情報を記録する付加情報記録装置とを有する印刷システムであって、
前記付加情報記録装置は、
印刷受付時に発生される受付イベントに関連付けられた仕分け情報を保持する記憶部と、
前記フィルム状シートの表面に印加するエネルギーを、仕分け情報の記録領域とその他の領域とで可変し、前記仕分け情報を前記フィルム状シートの表面に透かし状に記録する印加エネルギー制御部と
を有することを特徴とする印刷システム。
【請求項１６】
基材表面を被覆するフィルム状シートに付加情報を記録する付加情報記録方法であって、
印刷受付時に発生される受付イベントに関連付けられた仕分け情報を記憶部から読み出す処理と、
前記フィルム状シートの表面に印加するエネルギーを、仕分け情報の記録領域とその他の領域とで可変し、前記仕分け情報を前記フィルム状シートの表面に透かし状に記録する処理と
を有することを特徴とする付加情報記録方法。
【請求項１７】
基材表面を被覆するフィルム状シートへの付加情報の記録を制御するコンピュータに、
印刷受付時に発生される受付イベントに関連付けられた仕分け情報を記憶部から読み出す処理と、
前記フィルム状シートの表面に印加するエネルギーを、仕分け情報の記録領域とその他の領域とで可変し、前記仕分け情報を前記フィルム状シートの表面に透かし状に記録する処理と
を実行させることを特徴とするプログラム。
【発明の詳細な説明】
【技術分野】
【０００１】
発明の一つの形態は、基材表面を被覆するフィルム状シートに付加情報を記録する付加情報記録装置に関する。発明の他の形態は、付加情報の記録機能を有する印刷装置に関する。発明の他の形態は、付加情報の記録機能を搭載した印刷装置又は印刷装置と付加情報記録装置とを有する印刷システムに関する。
発明の他の形態は、基材表面を被覆するフィルム状シートに付加情報を記録する方法に関する。また、発明の他の形態は、コンピュータによる付加情報の記録機能を実現するプログラムに関する。
【背景技術】
【０００２】
現在、撮影時の情報（例えば撮影日時、撮影条件、画像ファイル名その他）を、基材表面を被覆するフィルム状シートに透かし状に記録する技術が出願人により実用化されている。
【特許文献１】特開２００２−２４０４０２号公報
【発明の開示】
【発明が解決しようとする課題】
【０００３】
ところで、デジタルカメラその他の撮像機能を搭載した機器の普及は目覚ましく、昨今では印刷サービスに対するユーザーの要求も非常に多岐に渡っている。
これに伴い、事業者においては、大量の印刷画像や同種の印刷画像を短時間で仕分けできる仕組みが求められている。現在、仕分け専用の装置が実用化されているが、装置が大型であるだけでなく、経済的な負担も大きい。
また、非事業者においても、大量の印刷画像や同種の印刷画像を仕分ける必要性が高まっており、簡便に仕分けできる仕組みが求められている。
【課題を解決するための手段】
【０００４】
発明者らは、以上の課題に着目し、以下の技術手法を提案する。
すなわち、基材表面を被覆するフィルム状シートに付加情報を記録する際に、
（ａ）印刷受付時に発生される受付イベントに関連付けられた仕分け情報を記憶部から読み出す処理と、
（ｂ）フィルム状シートの表面に印加するエネルギーを、仕分け情報の記録領域とその他の領域とで可変し、仕分け情報をフィルム状シートの表面に透かし状に記録する処理と
を実行する技術手法を提案する。
【発明の効果】
【０００５】
発明に係る技術手法の採用により、仕分け情報をフィルム状シートの表面に透かし状に記録できる。すなわち、大量の印刷画像や同種の印刷画像の仕分けに適した情報を印刷面上に記録できる。結果として、仕分け作業を従来に比して簡便なものにできる。
【発明を実施するための最良の形態】
【０００６】
以下、発明に係る技術手法の実施形態例を説明する。
なお、本明細書で特に図示又は記載されない部分には、当該技術分野の周知又は公知技術を適用する。
また以下に説明する実施形態は、発明の一つの実施形態であって、これらに限定されるものではない。
【０００７】
（Ａ）印刷装置の構成例
図１に、印刷装置の回路構成例を示す。図１は、昇華型熱転写方式の印刷装置への適用例である。
印刷装置１は、画像入力用インターフェース３、ＣＰＵ５、色及びサイズ変換部７、圧縮解凍部９、画像メモリ１１、ＹＭＣ変換及びガンマ変換部１３、バッファメモリ１５、仕分け用インターフェース１７、フォント及びフォーマット情報メモリ１９、ラミネーション用画像メモリ２１、ラミネート用ガンマ変換部２３、データ切換器２５、ＰＷＭ（ pulse width modulation）処理部２７、転写ヘッド２９、入力／選択部３１、画像表示部３３、駆動制御部３５、リボンフィルム送り機構３７、給排紙機構３９を主要な構成要素とする。
【０００８】
画像入力用インターフェース３は、画像情報及びその付属情報の取得に用いられる。因みに、付属情報は、撮影時の情報（例えば撮影日時、撮影条件、画像ファイル名その他）である。例えば、各社に共通した規格であるＥｘｉｆ（Exchangeable Image Format）フォーマットの情報が与えられる。
これらの情報は、例えば記録媒体又は通信線を通じて取得される。
ここでの記録媒体には、磁気ディスクや光学式ディスクに限らず、半導体メモリ（形状や回路形式は問わない）を適用できる。また、記録媒体から情報を読み出すには、記録媒体に応じた再生装置やメモリ制御回路等が必要であるが、これらは画像入力用インターフェース部３に包含される。
なお、通信線は、ネットワーク系の通信線だけでなく、非ネットワーク系の通信線でも良い。また、有線路か無線路かは問わない。
【０００９】
画像入力用インターフェース３を通じて取り込まれた画像情報及び付属情報は、所定の信号ラインを通じて、ＣＰＵ（中央処理装置）５、色及びサイズ変換部７、圧縮解凍部９に送信される。
なお、画像情報が非圧縮データの場合、色及びサイズ変換部７でプリント用のサイズに変換される。また、サイズ変換後の各原色データが後段の画像メモリ１１に格納される。画像メモリ１１は、各原色データ（Ｒ（赤）、Ｇ（緑）、Ｂ（青））に対応した領域１１Ｒ、１１Ｇ、１１Ｂを有している。
【００１０】
一方、画像情報が圧縮データの場合、圧縮解凍部９で圧縮データの復元処理（解凍処理）が実行される。例えば、Ｙ（輝度）、Ｃｂ、Ｃｒ（色差）の各データに変換される。なおこの場合、色及びサイズ変換部７は、輝度データ及び色差データの原色データへの変換処理とサイズの変換処理とを実行する。勿論、変換後の原色データは、画像メモリ１１の各領域に格納される。
ここで、色及びサイズ変換部７や圧縮解凍部９は、バッファメモリ１５を作業領域として前述した処理を実行する。
また、画像メモリ１１に格納された各原色データは、画像データの印刷時に読み出され、ＹＭＣ変換及びガンマ変換部１３に与えられる。ここで、ＹＭＣ変換及びガンマ変換部１３は、原色データを濃度データ（Ｙ（イエロー）、Ｍ（マゼンタ）、Ｃ（シアン）に変換する処理と、出力系の特性に応じたガンマ変換処理とを実行する。
【００１１】
仕分け用インターフェース１７は、印刷受付時に発生される受付イベントに関連付けられた仕分け情報の取得に用いられる。
仕分け情報は、例えば受付イベントに固有の記号又は記述である。
ここでの記号や記述には、受付イベントに固有の受付番号、印刷受付端末に固有の番号、受付日時、ユーザー固有の識別情報、総印刷枚数、個々の画像別のコピー枚数、マルチサイズ印刷の有無情報、マルチサイズ印刷の場合の同一画像についての別サイズ、データライブラリー上の仕分け情報その他が含まれる。
なお、仕分け情報は、受付イベント毎に固有の記録領域が割り当てられることが望ましい。
【００１２】
仕分け用インターフェース１７を通じて取り込まれた仕分け情報は、所定の信号ラインを通じて、ＣＰＵ（中央処理装置）５に送信される。
この実施例の場合、仕分け情報は、基材表面を被覆するフィルム状シート上に透かし状に記録する。仕分け情報の記録に必要な文字、記号、図柄その他のビットマップデータは、フォント及びフォーマット情報メモリ１９を参照してＣＰＵ５が発生する。
なお、フォント及びフォーマット情報メモリ１９には、フォントデータやフォーマットに応じた変換情報が保存されている。これらの情報は、付属情報の処理にも用いられる。
ＣＰＵ５で発生された仕分け用のビットマップデータは、ラミネーション用画像メモリ２１に格納される。
このラミネーション用画像メモリ２１が、請求項における仕分け情報の記憶部に対応する。
【００１３】
ラミネーション用画像メモリ２１に格納されたビットマップデータは、ラミネート加工時に読み出され、ラミネート用ガンマ変換部２３のガンマ変換処理を受ける。すなわち、このガンマ処理において、画像情報の印刷された基材表面のラミネート加工と仕分け情報を透かし記録に必要な階調値への変換処理が実行される。
このラミネート用ガンマ変換部２３が請求項における印加エネルギー制御部に対応する。
なお、ラミネーション用画像メモリ２１とラミネート用ガンマ変換部２３とが請求項における付加情報記憶装置に対応する。
【００１４】
以下、ラミネート処理と透かし記録の原理を説明する。この実施例の場合、ラミネートフィルムは、溶融熱転写の原理で画像形成後の印画紙（基材）表面に転写されるものとする。
図２に示すリボンフィルム４１を用いてラミネート加工を実行する。このリボンフィルム４１は、Ｙ（イエロー）インク、Ｍ（マゼンタ）インク、Ｃ（シアン）インク、ラミネートフィルムを一組とし、１枚の画像が印刷されラミネート加工されるまでには、４回の搬送動作とフィルム送り動作が実行される。ラミネート用ガンマ変換部２３のガンマ変換処理は、４回目の搬送動作時に実行される。図３に、処理イメージを示す。
【００１５】
図４に、転写ヘッド２９に印加するエネルギーの大きさに応じたラミネートフィルム表面の光沢度の変化を示す。光沢度の変化を曲線ｇで示す。なお図中にドット模様で示す領域は、転写が不安定な領域ＲＡを示す。従って、ラミネート加工で利用可能なエネルギー範囲は、領域ＲＡを除く範囲である。
図４に示すように、印加エネルギーが大きくなるに従って、加工後のラミネートフィルムの光沢度は、印加エネルギーＥ１まではほぼ一定し、これを超えると急に光沢度が低下し、さらに印加エネルギーＥ２を超える光沢度の変化があまり認められなくなる特性が確認される。
【００１６】
ここで、印加エネルギーＥ１は、加工後のラミネートフィルムの光沢を保つことのできるエネルギーの代表値である。印加エネルギーＥ２は、加工後のラミネートフィルムの表面がマット状（又は絹目状）となり、光沢度が損なわれるエネルギーの代表値である。
すなわち、ラミネート用ガンマ変換部２３は、仕分け情報の記録領域に印加エネルギーＥ２が印加され、その他の領域（単なるラッピングする領域）に印加エネルギーＥ１が印加されるようにガンマ変換処理を実行する。
なお、ガンマ変換処理には、例えば一次元ルックアップテーブルを用いたデータ参照式のデータ変換等を適用する。結果的に、印加エネルギーＥ２が印加された領域に仕分け情報を透かし状に記録できる。
【００１７】
ここで、印加エネルギーＥ１の数値範囲については、使用するフィルムや転写ヘッドの特性その他の条件に左右される。この実施例では、印加エネルギーＥ１を安定した転写が可能なエネルギーの上限値又はその近傍値に設定する。また、印加エネルギーＥ２は、光沢度が急速に変化する範囲の上限値かその近傍値に設定する。例えばＥ２は、Ｅ１の約１.２倍〜２倍程度に設定する。
もっとも、印加エネルギーＥ２の設定値は、その他の領域に印加される印加エネルギーＥ１の設定値に近すぎるのは好ましくない。２つの値が近すぎる場合、光沢度の差が小さいため、記録された透かしを目視するのが困難になるためである。その一方で、印加エネルギーＥ２の設定値を高くし過ぎると、印加エネルギーの無駄や必要以上の加熱その他の弊害を招く。
従って、実用上は、これらの要因に配慮して適性なエネルギー値を規定することが望ましい。
【００１８】
データ切換器２５は、画像印刷用のデータと仕分け用のデータの後段回路への出力を切り替える回路である。ここで、画像印刷用のデータは、ＹＭＣ変換及びガンマ変換部１３から入力される。また、仕分け用のデータは、ラミネート用ガンマ変換部２３から入力される。
データ切換器２５の切換動作はＣＰＵ５によって制御される。画像情報の印刷時、データ切換器２５のスイッチは、ＹＭＣ変換及びガンマ変換部１３側に接続される。一方、仕分け情報の記録時（ラミネート加工時）、データ切換器２５のスイッチは、ラミネート用ガンマ変換部２３側に接続される。
【００１９】
ＰＷＭ処理部２７は、データ切換器２５で選択されたデータをパルス幅変調し、転写ヘッド２９の駆動用信号を生成する処理デバイスである。この駆動用信号は、転写ヘッド２９上に配列された個々の発熱体に対応する。
このパルス幅の長さが、転写ヘッド２９の通電時間に対応する。例えば、画像印刷時、パルス幅の長さに応じてインクの記録濃度が変化する。また例えば、仕分け情報の記録時（ラミネート加工時）、パルス幅の長さに応じてラミネートフィルムの光沢度が変化する。
【００２０】
図５に、光沢度の違いによる視認性の違いを示す。図５は、ラミネート加工後の印刷用紙を側面から見た図である。下層が印刷画像の形成された基体５１であり、上層がラミネートフィルム５３である。
仕分け情報の記録領域（透かし領域）とその他の領域との違いは、ラミネートフィルム表面の光沢度の差異のみである。従って、印刷用紙の紙面に垂直の方向（Ａ点）から見る場合、ラミネートフィルム上に記録された仕分け情報は確認されず、下層の基体５１に形成された印刷画像がそのまま確認される。
一方、周囲光がラミネートフィルム表面で全反射する角度（Ｂ点）から見た場合、ラミネートフィルム表面に記録された仕分け情報が最も明瞭に確認される。
【００２１】
この他、印刷装置には、入力／選択部３１、画像表示部３３、駆動制御部３５、リボンフィルム送り機構３７、給排紙機構３９が設けられる。
入力／選択部３１は、印刷装置１に対する指示や選択を入力するためのユーザーインターフェースである。例えば、ボタン、キー、スイッチその他で構成される。
画像表示部３３は、設定状態の表示やＧＵＩを通じた指示入力その他に使用される。例えば、フラットディスプレイが用いられる。もっとも、画像表示部３３は、印刷装置１に外部接続されていても良い。
【００２２】
駆動制御部３５は、リボンフィルム送り機構３７及び給排紙機構３９の制御部である。駆動制御部３５は、ＣＰＵ５の管理下において動作する。
因みに、リボンフィルム送り機構３７は、図２に示したリボンフィルム４１の搬送機構である。リボンフィルム送り機構３７は、各色の記録やラミネート加工の進行に応じ、リボンフィルム４１を一方向に搬送する。
また、給排紙機構３９は、印刷画像を形成する印刷用紙（被記録媒体）の搬送機構である。給排紙機構３９は、各色の記録が完了するたび印刷用紙を逆方向に搬送し、次の色の記録又はラミネート加工に備える。
【００２３】
（Ｂ）仕分け情報の記録例
以下、印刷装置１による仕分け情報の記録例を示す。なお、実際の仕分け情報は透かし状に記録されるものであるが、以下では仕分け情報の記録形態や記録位置を実線で表現する。
【００２４】
（Ｂ−１）受付イベントに固有の記号又は記述を割り当てる例
図６に、受付イベント毎に異なる記号等を割り当てる例を示す。従って、同一の受付イベントに対応する印刷画像には同じ記号等が記録される。
図６の場合、１回目の受付イベントで印刷された３枚の印刷画像には同一の記号である“○”が付されている。また、図６の場合、２回目の受付イベントで印刷された４枚の印刷画像には同一の記号である“▽”が付されている。
なお図６は、透かし状に記録される仕分け用の記号の形状が異なるだけで、仕分け情報の記録位置は同じである。
【００２５】
このように、受付イベント毎に記録する記号等の形状を変えることで、印刷された用紙が混在した場合でも簡単に仕分けることができる。勿論、従来装置のような仕分け専用の装置は不要である。
勿論、記号は“○”や“▽”に限らず、“☆”、“□”、“◇”その他を形状を用いることができる。また、仕分け情報は記号だけでなく、記述で表しても良い。また、仕分け情報は記号だけでなく、記述と記号を組み合わせて表現しても良い。記号や記述は、少なくとも同時に扱う可能性がある受付イベントに応じた数だけ使い分けられることが望ましい。
【００２６】
（Ｂ−２）受付イベントに固有の記録領域を割り当てる例
図７に、受付イベント毎に仕分け情報の記録領域を変更する例を示す。この例の場合、受付イベントの違いによらず同じ記号等が用いられる。勿論、同一の受付イベントに対応する印刷画像では、記号等の記録に同じ記録領域が使用される。
図７の場合、１回目の受付イベントで印刷された３枚の印刷画像には、その右下隅に記号“○”が付されている。また、図７の場合、２回目の受付イベントで印刷された４枚の印刷画像には、その右上隅に記号“○”が付されている。
【００２７】
なお、仕分け用の記号の記録領域には、左上隅、左下隅、上辺中央、右辺中央、左辺中央、下辺中央、中央その他の位置を用いることもできる。また、線状の記号を用いるのであれば、上辺一列、下辺一列、右辺一列、左辺一列、中央を通る縦列、中央を通る横列、斜線その他の位置を用いることもできる。
また、仕分け情報の記録に用いる記録領域の数は、少なくとも同時に扱う可能性がある受付イベントに応じた数だけ使い分けられることが望ましい。
【００２８】
また、図７の場合、仕分け情報の記録に用いる記録領域が１つであるが、複数の記録位置の組み合わせで受付イベントの違いを表現しても良い。例えば、右上と右下の組み合わせ、左上と左下の組み合わせその他の組み合わせで表現しても良い。
なお、異なる記録位置と異なる形状の記号を組み合わせて表現しても良い。
いずれにしても、受付イベント毎に仕分け情報の記録領域を変えることで、印刷された用紙が混在した場合でも簡単に仕分けることができる。
【００２９】
（Ｂ−３）受付イベントに固有の受付番号を割り当てる例
図８に、受付イベント毎に固有の受付番号を割り付ける例を示す。従って、同一の受付イベントに対応する印刷画像には同じ受付番号が記録される。
図８の場合、１回目の受付イベントで印刷された３枚の印刷画像に同一の記述“１０１”が付されている。また、図８の場合、２回目の受付イベントで印刷された４枚の印刷画像に同一の記述“１０２”が付されている。
図８は、受付番号が３桁の通し番号で与えられる場合について表している。勿論、受付番号の形式はこれに限らない。例えば日付、受付時間、受付店舗、担当者その他との組み合わせで与えても良い。
このように受付番号を用いることで、取り扱う受付イベントの数が非常に多い場合でも、印刷画像と受付イベントとの対応付けを明確化できる。
【００３０】
（Ｂ−４）受付イベントで指定されたユーザー固有の識別情報
図９に、受付イベントで指定されたユーザー固有の識別情報を割り付ける例を示す。従って、同一の受付イベントに対応する印刷画像には同じ識別情報が記録される。
図９の場合、１回目の受付イベントで印刷された３枚の印刷画像に同一のイニシャル情報“Ｋ．Ｓ．”が付されている。また、図９の場合、２回目の受付イベントで印刷された４枚の印刷画像に同一のイニシャル情報“Ｙ．Ｓ．”が付されている。
もっとも、担当者や顧客の区別が可能であれば、名字の頭文字や名前の頭文字だけを識別情報として用いても良い。また、担当者や顧客の氏名の全部又は一部を識別情報として用いても良い。
このように、ユーザー情報を識別情報に用いれば、印刷画像の仕分けを容易にできる。
【００３１】
（Ｂ−５）受付イベントを受け付けた受付装置に固有の識別情報
図１０に、受付イベントを受け付けた受付装置に固有の識別情報を割り付ける例を示す。従って、同一の受付イベント内では同じ識別情報が用いられる。
図１０の場合、１回目の受付イベントで印刷された３枚の印刷画像に同一の識別情報“１００−１”が付されている。また、図１０の場合、２回目の受付イベントで印刷された４枚の印刷画像に同一の識別情報“１００−２”が付されている。
図１０では、受付装置に固有の識別情報を数字の組み合わせで表現したが、ポート番号、メディア番号、製造番号その他を用いて表現しても良い。また、ユーザーが登録した管理上の名称その他を用いて表現しても良い。
このように、受付装置に固有の識別情報に用いれば、受付イベントが多数の受付装置上で発行される場合にも、受付装置を基準とした仕分けを実現できる。
【００３２】
（Ｂ−６）受付イベントの発生した日時情報
図１１に、受付イベントの発生した日時情報を割り付ける例を示す。従って、同一の受付イベントに対応する印刷画像には同じ日時情報が記録される。
図１１の場合、１回目の受付イベントで印刷された３枚の印刷画像に同一の日時情報“１０／０９  １０：５８”が付されている。また、図１１の場合、２回目の受付イベントで印刷された４枚の印刷画像に同一の日時情報“１０／０９  １１：２５”が付されている。
図１１では、日時情報を“日”と“時間”の組み合わせで表現したが、“年”、“年号”その他を用いて表現しても良い。
このように、受付イベントの発生した日時情報に用いれば、受付イベントが多数に及ぶ場合にも、日時を基準とした仕分けを実現できる。
【００３３】
（Ｂ−７）受付イベントで指定された総印刷枚数
図１２に、受付イベントで指定された総印刷枚数を割り付ける例を示す。従って、同一の受付イベントに対応する印刷画像には同じ数値が記録される。なお、総印刷枚数であるので、１つの受付イベントで印刷される印刷画像の内容は１種類に限らず、何種類でも良い。
図１２の場合、１回目の受付イベントで印刷された３枚の印刷画像には総印刷枚数“３”が付されている。また、図１２の場合、２回目の受付イベントで印刷された４枚の印刷画像に総印刷枚数“４”が付されている。
このように、総印刷枚数が記録されれば、仕分けの結果が受付イベントに整合しているか容易に確認できる。      
【００３４】
（Ｂ−８）受付イベントで指定された個々の印刷画像の印刷枚数
図１３に、受付イベントで指定された個々の印刷画像の印刷枚数を割り付ける例を示す。従って、印刷画像毎に印刷枚数が記録される。この場合は、同じ受付イベント内で異なる数値が記録され得る。
図１３は、ある受付イベントで印刷画像ＡとＢの印刷が受け付けられた場合について表している。この例の場合、印刷画像Ａの印刷枚数（コピー枚数）は“１”、印刷画像Ｂの印刷枚数（コピー枚数）は“４”である。このため、各印刷画像には、それぞれの印刷枚数が記録されている。
このように、個々の印刷画像の印刷枚数が記録されれば、仕分けの際に印刷画像の不足の有無を容易に確認することができる。例えば、図１３の印刷画像Ｂであれば、仕分けの結果、３枚しか印刷画像Ｂが無ければまだ１枚の仕分け漏れがあることが即座に確認できる。   
【００３５】
（Ｂ−９）個々の印刷画像に対するマルチサイズ印刷の有無及び異サイズの情報
図１４に、個々の印刷画像に対するマルチサイズ印刷の有無の情報を割り付ける例を示す。この場合は、マルチサイズ印刷が指定された印刷画像に対してのみ異サイズ印刷の存在を示す記号又は記述が記録される。
図１４は、印刷画像ＡとＣを４インチ×６インチのサイズで印刷し、印刷画像Ｂを５インチ×７インチとのサイズで印刷する場合である。このため、印刷画像Ｂに対してのみ右下隅に○印が記録されている。なお、記号の記録位置は任意である。
このように記号が付されていれば、同じ画像内容で異なるサイズでの印刷画像が他に存在することが分かり、仕分けの際の注意を喚起できる。
【００３６】
もっとも、異なるサイズでの印刷画像が他に存在するだけでは、仕分け作業者に少々不親切である。
図１５に、個々の印刷画像に対応付けられた他の印刷サイズの情報を割り付ける例を示す。この場合も、マルチサイズ印刷が指定された印刷画像に対してのみ別の印刷サイズを示す記号又は記述が記録される。従って、この記号等が記録されている印刷画像には、異なるサイズによる印刷画像が他に存在することが分かる。
図１５も、印刷画像ＡとＣを４インチ×６インチのサイズで印刷し、印刷画像Ｂを５インチ×７インチとのサイズで印刷する場合である。ただし、この場合には、４インチ×６インチで印刷された印刷画像Ｂの右下隅に“５×７”が記録される。また、５インチ×７インチで印刷された印刷画像Ｂの右下隅に“４×６”が記録される。
【００３７】
従って、印刷画像Ｂがマルチサイズ印刷の対象であることだけでなく、他にどのサイズで印刷されているかも容易に確認できる。よって、他のサイズで印刷された印刷画像を探す場合にも、ピンポイントで必要な画像を効率よく探すことができる。
なお、図１５の場合は、１つの画像を２種類のサイズでマルチサイズ印刷する場合について説明したが、１つの画像を３種類のサイズでマルチサイズ印刷する場合にも適用できる。
その場合には、ある１つのサイズの印刷画像に他の２つの印刷サイズを記録しても良い。勿論、マルチサイズ印刷は２種類と３種類に限らない。
【００３８】
（Ｂ−１０）データライブラリー上の仕分け単位に関する情報
図１６に、データライブラリー上の仕分け単位に関する情報を割り付ける例を示す。この場合、異なる受付イベントでも同じ仕分け情報が用いられ得る。
データライブラリー上の仕分け単位に関する情報には、例えばユーザー固有のフォルダ名、ディレクトリ情報その他が含まれる。
図１６は、フォルダ名として日付が付されている場合の例である。この場合、１回目の受付イベントで印刷された３枚の印刷画像に同一の情報“２００４−０４−１０”が付されている。また、２回目の受付イベントで印刷された４枚の印刷画像に同一の情報“２００４−１０−１”が付されている。
勿論、フォルダ名は、ユーザーの名前、作業者の属する組織・機関、プロジェクト名その他を用いて表現しても良い。
このように、データライブラリー上の仕分け単位に関する情報に用いれば、ユーザーの管理しやすい単位での仕分けを実現できる。
【００３９】
（Ｃ）他の形態例
（ａ）前述の形態例では、フィルム状シート表面のうち仕分け情報の記録像域の光沢度を下げることで透かし状の記録を実現した。
しかし、光沢度の関係はこの逆としても良い。すなわち、フィルム状シート表面のうち仕分け情報の記録領域以外に印加エネルギーＥ２を印加し、仕分け情報の記録領域に印加エネルギーＥ１を印加しても良い。
この場合、仕分け情報の記録領域の光沢度が上がり、その他の領域の光沢度が下がる。このようにしても、仕分け情報を透かし状に記録できる。
【００４０】
（ｂ）前述の形態例では、フィルム状シート表面の光沢度を変化させることで仕分け情報を透かし状に記録した。
しかし、印加エネルギーに応じて仕分け情報を透かし状に記録できるのであれば、フィルム状シートの光沢度以外の特性を変化させても良い。
【００４１】
（ｃ）前述の形態例では、仕分け情報の記録専用に、ラミネーション用画像メモリ２１を印刷装置内に搭載した。
しかし、ラミネーション用画像メモリは、画像情報の記憶用に搭載された画像メモリ１１の一部又は全部を利用して実現しても良い。
図１７に、この形態例に対応する印刷装置の回路構成例を示す。画像メモリ１１内のデータは、画像印刷のために出力されてしまれば不要になる。そこで、この回路構成では、その空き領域をラミネート印刷用の画像メモリとして一時的に流用する。
【００４２】
この場合は、図１７に破線で示す経路を用いて仕分け情報の記録に必要なビットマップデータを画像メモリ１１の所定領域に格納する。そして、所定のタイミングで当該領域から読み出されたビットマップデータをラミネート用ガンマ変換部２３に送る手法を採用する。
この他、バッファメモリ１５をラミネート印刷用の画像メモリとして兼用しても良い。また、外部記録媒体に一旦書き出しておいた仕分け情報を、ラミネート印刷の際に読み出して使用するといった形態を採用しても良い。
【００４３】
（ｄ）前述の形態例では、フィルム状シートに対する印加エネルギーを２種類用意し、これら２つを選択的に印加する場合について説明した。
しかし、印加エネルギーを３種類以上用意し、印加エネルギーを選択できるように構成しても良い。この場合、フィルム状シートの光沢の有無又は表面光沢度の違いを詳細に制御することが可能になる。これにより、フィルム状シートに応じた適切な制御を実現できる。
【００４４】
（ｅ）前述の形態例では、図１８（Ａ）に示すように、画像情報の印刷と仕分け情報の記録とを同じ転写ヘッド２９を用いて実現する方式の印刷装置について説明した。
しかし、図１８（Ｂ）に示すように、画像情報の記録デバイス６３と仕分け情報の記録デバイス６５とを別々に有する印刷装置６１にも適用できる。
この場合、画像情報の記録デバイス６３には、サーマルヘッド以外の記録デバイスを適用できる。例えば、インクジェット方式の印刷ヘッドを適用できる。また、レーザー方式の印刷デバイス（帯電ドラムと結像デバイス）を適用できる。
なおこの場合も、仕分け情報の記録デバイス６５には、サーマルヘッドを使用する。
【００４５】
（ｆ）前述の形態例では、図１９（Ａ）に示すように、印刷装置１内に仕分け情報の記録機能７１を搭載する場合について説明した。
しかし、１９（Ｂ）に示すように、印刷装置７３とは独立した装置として、仕分け情報の記録装置７５を実現しても良い。この場合、図１に示す回路構成のうち画像情報の印刷に関連する機能ブロックを除いた構成で実現すれば良い。
【００４６】
（ｇ）前述の形態例では、１つの印刷装置内に仕分け情報の記録機能を搭載する場合について説明した。
しかし、複数の印刷装置や印刷受付装置を組み合わせた印刷システムとして実現しても良い。
図２０（Ａ）に、２台の印刷装置（仕分け情報の記録機能は搭載しない）８１と、１台の仕分け情報記録装置８３と、２台の印刷受付装置８５とで構成される印刷システム例を示す。
図２０（Ｂ）に、４台の印刷装置（仕分け情報の記録機能付き）１と、１台の印刷受付装置９１とで構成される印刷システム例を示す。
【００４７】
（ｈ）前述の形態例では、画像情報の印刷された基材表面に対するラミネート加工時に仕分け情報を透かし状に記録する場合について説明した。
しかし、仕分け情報の記録方法はこれに限らない。
例えば図２１に示すように、無地の基材表面をラミネート加工した後、ラミネート表面に画像情報と仕分け情報をそれぞれ個別に記録しても良い。
また例えば、図２２に示すように、画像情報の印刷された基材表面をラミネート加工した後、ラミネートフィルムの表面に仕分け情報を透かし状に記録する手法を採用しても良い。
（ｉ）前述の形態例には、発明の趣旨の範囲内で様々な変形例が考えられる。また、本明細書の記載に基づいて創作される各種の変形例及び応用例も考えられる。
【図面の簡単な説明】
【００４８】
【図１】印刷装置の実施形態例を示す図である。
【図２】リボンフィルムの構成例を示す図である。
【図３】ラミネート加工と仕分け情報記録の処理イメージを示す図である。
【図４】印加エネルギーの大きさと加工後の光沢度の関係を示す特性図である。
【図５】光沢度の違いによる視認性の違いを説明する図である。
【図６】仕分け情報として受付イベント毎に異なる記号等を割り当てる場合の記録例を示す図である。
【図７】仕分け情報として受付イベントに固有の記録領域を割り当てる場合の記録例を示す図である。
【図８】仕分け情報として受付イベントに固有の受付番号を割り当てる場合の記録例を示す図である。
【図９】仕分け情報として受付イベントで指定されたユーザー固有の識別情報を割り当てる場合の記録例を示す図である。
【図１０】仕分け情報として受付イベントを受け付けた受付装置に固有の識別情報を割り当てる場合の記録例を示す図である。
【図１１】仕分け情報として受付イベントの発生した日時情報を割り当てる場合の記録例を示す図である。
【図１２】仕分け情報として受付イベントで指定された総印刷枚数を割り当てる場合の記録例を示す図である。
【図１３】仕分け情報として受付イベントで指定された個々の印刷画像の印刷枚数を割り当てる場合の記録例を示す図である。
【図１４】仕分け情報として個々の印刷画像に対するマルチサイズ印刷の有無を割り当てる場合の記録例を示す図である。
【図１５】仕分け情報として個々の印刷画像に対するマルチサイズ印刷の異サイズ情報を割り当てる場合の記録例を示す図である。
【図１６】仕分け情報としてデータライブラリー上の仕分け単位に関する情報を割り当てる場合の記録例を示す図である。
【図１７】印刷装置の他の形態例を示す図である。
【図１８】画像情報の印刷デバイスと仕分け情報の記録デバイスとを別々に有する形態例を示す図である。
【図１９】仕分け情報記録装置（付加情報記録装置）の構成例を示す図である。
【図２０】印刷システム例を示す図である。
【図２１】仕分け情報の他の記録手法を示す図である。
【図２２】仕分け情報の他の記録手法を示す図である。
【符号の説明】
【００４９】
１      印刷装置
１７    仕分け用インターフェース
２１    ラミネーション用画像メモリ
２３    ラミネート用ガンマ変換部
２９    転写ヘッド
【図１】
2006137004.tif 000003
【図２】
2006137004.tif 000004
【図３】
2006137004.tif 000005
【図４】
2006137004.tif 000006
【図５】
2006137004.tif 000007
【図６】
2006137004.tif 000008
【図７】
2006137004.tif 000009
【図８】
2006137004.tif 000010
【図９】
2006137004.tif 000011
【図１０】
2006137004.tif 000012
【図１１】
2006137004.tif 000013
【図１２】
2006137004.tif 000014
【図１３】
2006137004.tif 000015
【図１４】
2006137004.tif 000016
【図１５】
2006137004.tif 000017
【図１６】
2006137004.tif 000018
【図１７】
2006137004.tif 000019
【図１８】
2006137004.tif 000020
【図１９】
2006137004.tif 000021
【図２０】
2006137004.tif 000022
【図２１】
2006137004.tif 000023
【図２２】
2006137004.tif 000024